(57)【要約】【課題】電流供給部の昇温が抑制されたソレノイドモジュールを提供する。【解決手段】オイルの流入出されるスリーブ１０と、スリーブ内を移動することで、スリーブ内へのオイルの流入出を制御するスプール２０と、スリーブ内に設けられ、スプールに復元力を印加するバネ３０と、復元力によってスプールと連結されたプランジャ４０と、プランジャに磁束を印加することでプランジャに電磁力を発生させ、復元力に逆らってスプールを移動させるソレノイド５０と、ソレノイドに電流を供給することで磁束を発生させる電流供給部６０と、ソレノイドと電流供給部とを搭載するハウジング７０と、を有し、ハウジングにおけるソレノイドと電流供給部との間にオイルが流動するための流路７６が形成されている。【選択図】図５
2016056916.tif 000002
【特許請求の範囲】
【請求項１】
オイルの流入出されるスリーブ（１０）と、
前記スリーブ内を移動することで、前記スリーブ内への前記オイルの流入出を制御するスプール（２０）と、
前記スリーブ内に設けられ、前記スプールに復元力を印加するバネ（３０）と、
前記復元力によって前記スプールと連結されたプランジャ（４０）と、
前記プランジャに磁束を印加することで前記プランジャに電磁力を発生させ、前記復元力に逆らって前記スプールを移動させるソレノイド（５０）と、
前記ソレノイドに電流を供給することで前記磁束を発生させる電流供給部（６０）と、
前記ソレノイドと前記電流供給部とを搭載するハウジング（７０）と、を有し、
前記ハウジングにおける前記ソレノイドと前記電流供給部との間に前記オイルが流動するための流路（７６）が形成されていることを特徴とするソレノイドモジュール。
【請求項２】
前記オイルの温度を計測する温度センサ（８０）を有し、
前記温度センサは前記電流供給部とともに前記ハウジングに搭載され、前記温度センサと前記ソレノイドとの間に前記流路が位置していることを特徴とする請求項１に記載のソレノイドモジュール。
【請求項３】
前記電流供給部は前記温度センサによって計測された温度に応じて、前記スプールが前記復元力に逆らって前記スリーブ内の所定位置に移動するように、前記ソレノイドに供給する電流を調整することを特徴とする請求項２に記載のソレノイドモジュール。
【請求項４】
前記スリーブには前記オイルの流出される流出口（１２，１３）が形成されており、前記流路は前記スリーブの内部空間を介して前記流出口と連通されていることを特徴とする請求項１〜３いずれか１項に記載のソレノイドモジュール。
【請求項５】
前記スリーブには前記オイルの流入される流入口（１１）が形成されており、前記流路は前記スリーブの内部空間を介して前記流入口と連通されていることを特徴とする請求項１〜４いずれか１項に記載のソレノイドモジュール。
【請求項６】
前記ハウジングにおける前記流路を構成する壁面の裏面に、前記電流供給部が搭載されていることを特徴とする請求項１〜５いずれか１項に記載のソレノイドモジュール。
【請求項７】
前記ハウジングは収納空間を有し、前記収納空間内に前記電流供給部が収納されていることを特徴とする請求項１〜６いずれか１項に記載のソレノイドモジュール。
【請求項８】
前記ハウジングの外壁面に前記電流供給部が搭載されており、
前記電流供給部を被覆保護する被覆樹脂（７７）を有することを特徴とする請求項１〜６いずれか１項に記載のソレノイドモジュール。
【発明の詳細な説明】
【技術分野】
【０００１】
本発明は、ソレノイドと電流供給部とを搭載するハウジングを有するソレノイドモジュールに関するものである。
【背景技術】
【０００２】
特許文献１に示されるように、電子制御ユニットと油圧制御弁とが一体に形成された制御システムが知られている。
【先行技術文献】
【特許文献】
【０００３】
【特許文献１】特開２００９−８２０８号公報
【発明の概要】
【発明が解決しようとする課題】
【０００４】
特許文献１のように電子制御ユニットと油圧制御弁とが一体に形成された構成の場合、油圧制御弁にて発生した熱によって電子制御ユニットが昇温し、電子制御ユニット（電流供給部）の作動限界を超える虞がある。
【０００５】
そこで本発明は上記問題点に鑑み、電流供給部の昇温が抑制されたソレノイドモジュールを提供することを目的とする。
【課題を解決するための手段】
【０００６】
上記した目的を達成するための第１発明は、オイルの流入出されるスリーブ（１０）と、スリーブ内を移動することで、スリーブ内へのオイルの流入出を制御するスプール（２０）と、スリーブ内に設けられ、スプールに復元力を印加するバネ（３０）と、復元力によってスプールと連結されたプランジャ（４０）と、プランジャに磁束を印加することでプランジャに電磁力を発生させ、復元力に逆らってスプールを移動させるソレノイド（５０）と、ソレノイドに電流を供給することで磁束を発生させる電流供給部（６０）と、ソレノイドと電流供給部とを搭載するハウジング（７０）と、を有し、ハウジングにおけるソレノイドと電流供給部との間にオイルが流動するための流路（７６）が形成されていることを特徴とする。
【０００７】
このように本発明によれば、ソレノイド（５０）と電流供給部（６０）との間に流路（７６）が形成されている。そのために電流の供給によってソレノイド（５０）で発生した熱が電流供給部（６０）へと伝熱することが抑制される。また流路を流動するオイルによって、ソレノイド（５０）と電流供給部（６０）それぞれを冷却することができる。以上により電流供給部（６０）の昇温が抑制される。
【０００８】
なお、特許請求の範囲に記載の請求項、および、課題を解決するための手段それぞれに記載の要素に括弧付きで符号をつけているが、この括弧付きの符号は実施形態に記載の各構成要素との対応関係を簡易的に示すためのものであり、実施形態に記載の要素そのものを必ずしも示しているわけではない。括弧付きの符号の記載は、いたずらに特許請求の範囲を狭めるものではない。
【図面の簡単な説明】
【０００９】
【図１】第１実施形態に係るソレノイドモジュールの外観を示す側面図である。
【図２】図１において白抜き矢印の方向から見たソレノイドモジュールの下面図である。
【図３】図１において斜線入り矢印の方向から見たソレノイドモジュールの正面図である。
【図４】図１において黒塗り矢印の方向から見たソレノイドモジュールの背面図である。
【図５】図２におけるＶ−Ｖ線に沿う断面図である。
【図６】ソレノイドモジュールの分解断面図である。
【図７】図１および図５におけるＶＩＩ−ＶＩＩ線に沿う断面図である。
【図８】図１および図５におけるＶＩＩＩ−ＶＩＩＩ線に沿う断面図である。
【図９】図１および図５におけるＩＸ−ＩＸ線に沿う断面図である。
【図１０】図１および図５におけるＸ−Ｘ線に沿う断面図である。
【図１１】ソレノイドモジュールの変形例を示す断面図である。
【図１２】ソレノイドモジュールの変形例を示す断面図である。
【図１３】ソレノイドモジュールの変形例を示す断面図である。
【図１４】ソレノイドモジュールの変形例を示す断面図である。
【図１５】ソレノイドモジュールの変形例を示す断面図である。
【発明を実施するための形態】
【００１０】
以下、本発明に係るソレノイドモジュールを車両に設けられた自動変速機の油圧制御に適用した場合の実施形態を図に基づいて説明する。
（第１実施形態）
図１〜図１０に基づいて、本実施形態に係るソレノイドモジュールを説明する。以下においては互いに直交の関係にある３方向を、ｘ方向、ｙ方向、ｚ方向と示す。またｘ方向とｙ方向とによって規定される平面をｘ−ｙ平面、ｙ方向とｚ方向とによって規定される平面をｙ−ｚ平面、ｚ方向とｘ方向とによって規定される平面をｚ−ｘ平面と示す。
【００１１】
図１〜図４にソレノイドモジュール１００の外観を示すように、ソレノイドモジュール１００はオイルの流入される流入口１１と、オイルの流出される流出口１２，１３と、を有する。流入口１１へのオイルの流入は図示しない圧力ポンプによって行われる。そして流入口１１へ流入するオイルの流入量と、流出口１２，１３から流出されるオイルの流出量それぞれは、後述するスプール２０の運動によって制御される。第１流出口１２は車両に設けられた自動変速機に接続されており、第１流出口１２から出力されるオイルの圧力によって自動変速機のクラッチが制御される。これに対して第２流出口１３は圧力ポンプにおけるオイルを貯留するタンクに接続されており、圧力ポンプから出力されたオイルを圧力ポンプへ戻す機能を果たしている。
【００１２】
図５に示すようにソレノイドモジュール１００は、スリーブ１０、スプール２０、バネ３０、プランジャ４０、ソレノイド５０、電流供給部６０、および、ハウジング７０を有する。スリーブ１０は筒状を成し、その側部１０ｃに上記した流入口１１と流出口１２，１３が形成されている。この流入口１１と流出口１２，１３を介してスリーブ１０内にオイルが流入出される。スプール２０はスリーブ１０内に設けられ、スリーブ１０内を移動することで、流入口１１と流出口１２，１３それぞれの開口具合を調整する。これによりスリーブ１０内へのオイルの流入出量を制御する。バネ３０もスプール２０とともにスリーブ１０内に設けられている。バネ３０は復元力をスプール２０に印加することでスプール２０の運動を抑制する機能を果たす。またこのバネ３０の復元力によってスプール２０がプランジャ４０に連結されている。プランジャ４０は磁束が印加されると、電磁力によってバネ３０に近づく方向にスプール２０を運動させる。ソレノイド５０は自身に電流が流れることで上記した磁束を発生し、その磁束をプランジャ４０に印加することでスプール２０をバネ３０の復元力に逆らって運動させる。電流供給部６０はソレノイド５０に上記した電流を供給することで、磁束をソレノイド５０から発生させる機能を果たす。そしてハウジング７０は上記したスプール２０とバネ３０の設けられたスリーブ１０、プランジャ４０、ソレノイド５０、および、電流供給部６０それぞれを搭載する機能を果たしている。後述するようにハウジング７０にはスリーブ１０におけるオイルの流入出される内部空間と連通された流路７６が形成されている。この流路７６をオイルが流動する構成となっており、流路７６は電流の流動によって発熱するソレノイド５０と多数の電子素子から成る電流供給部６０との間に位置している。本実施形態に係るソレノイドモジュール１００は上記した構成要素の他に、温度センサ８０とコネクタ９０を有する。温度センサ８０はオイルの温度を検出し、コネクタ９０は外部装置と電流供給部６０とを電気的に接続する機能を果たす。以下、ソレノイドモジュール１００の構成要素を個別に説明する。
【００１３】
スリーブ１０は図５に示すようにｘ方向に延びた円筒形状を成し、その一端１０ａが他端１０ｂよりも開口面積が広くなっている。一端１０ａはスペーサ７５とシャフト４１によって閉塞され、ハウジング７０の中に位置している。図３に示すように他端１０ｂは上記したバネ３０をスプール２０とともに挟持するための蓋部１４によって閉塞され、ハウジング７０の外に位置している。また図２に示すように流入口１１と流出口１２，１３それぞれはスリーブ１０の側部１０ｃにおける下面側に形成されており、この流入口１１と流出口１２，１３それぞれはハウジング７０から外部に露出されている。第１流出口１２は第２流出口１３よりも流出圧力が低くなっており、第２流出口１３よりもオイルが流出しがたくなっている。
【００１４】
図５および図１０に示すように側部１０ｃにおけるハウジング７０内に位置する部位に３つの開口部１５ａ〜１５ｃが形成されている。そして図９および図１０に示すようにスリーブ１０の内壁面の一部が削除されることでスプール２０の内部空間が局所的に広まり、スプール２０とともにオイルが流動するための３つの流通路１６ａ〜１６ｃがスリーブ１０に形成されている。なお図１０では流通路１６ａ〜１６ｃを破線で示している。
【００１５】
図５および図１０に示すように３つの開口部１５ａ〜１５ｃそれぞれは上記した流路７６と連通されており、３つの流通路１６ａ〜１６ｃの一端は開口部１５ａ〜１５ｃに接続され、その他端は流入口１１と流出口１２，１３に接続されている。より詳しく言えば、流入口１１は第１流通路１６ａと第１開口部１５ａを介して流路７６に連通され、第１流出口１２は第２流通路１６ｂと第２開口部１５ｂを介して流路７６に連通されている。そして第２流出口１３は第３流通路１６ｃと第３開口部１５ｃを介して流路７６に連通されている。流入口１１から第１流通路１６ａへと流入したオイルは第１開口部１５ａを介して流路７６に流入する。そして流路７６を流れたオイルは開口部１５ｂ，１５ｃおよび流通路１６ｂ，１６ｃ内を流動した後、流出口１２，１３からスリーブ１０の外部に流れ出す。
【００１６】
スプール２０は図５に示すようにｘ方向に延びた円柱形状を成し、その径方向の長さはスリーブ１０の内径よりも短くなっている。スプール２０は、スリーブ１０内にて摺動可能なように径方向の長さの決定された２つの大径部２１，２２、および、これら大径部２１，２２よりも径方向の長さが短く、大径部２１，２２を連結する軸部２３を有する。第１大径部２１の一端面に軸部２３におけるバネ３０側の端部が連結され、第１大径部２１の他端面にバネ３０が接触している。そして第１大径部２１の側面と第２流出口１３の開口部の少なくとも一部がｚ方向において対向し、スプール２０の運動によってその対向面積が変動可能となっている。したがってスプール２０の運動によって第２流出口１３から流出されるオイル量が調整可能となっている。また第２大径部２２は軸部２３におけるプランジャ４０側の側部に連結されており、第２大径部２２の側面と流入口１１の開口部の少なくとも一部がｚ方向において対向している。この構成によりスプール２０の運動によって第２大径部２２と流入口１１の開口部との対向面積が変動可能となっており、スプール２０の運動によって流入口１１に流入するオイル量が調整可能となっている。
【００１７】
ソレノイド５０へ電流が供給されずプランジャ４０に電磁力が発生していない場合、スプール２０はスリーブ１０内においてバネ３０の復元力のために位置が固定されている。そしてこの初期位置で流入口１１の開口部の全てがスプール２０の第２大径部２２と対向し、第２流出口１３の開口部の一部と第１大径部２１とが対向している。これにより流入口１１に流入するオイル量はごく僅かになっており、第１流出口１２からはほとんどオイルが流出されず、オイルのほとんどが第２流出口１３から流出される。しかしながらソレノイド５０への電流供給によってプランジャ４０に電磁力が発生すると、スプール２０がバネ３０の復元力に抗してスリーブ１０内を移動する。そして流入口１１の開口部と第２大径部２２との対向面積が減少し、第２流出口１３の開口部と第１大径部２１との対向面積が増大する。これにより流入口１１に流入するオイル量が増大し、第２流出口１３から流出されるオイル量が減少する。この結果、第１流出口１２から流出されるオイル量が増大する。
【００１８】
バネ３０は図５に示すように蓋部１４とスプール２０の第１大径部２１との間に設けられる。バネ３０はｘ方向に圧縮された状態で蓋部１４とスプール２０との間に設けられる。そのためｘ方向に沿い、バネ３０から離れる方向の復元力がスプール２０に絶えず印加される。すなわち、バネ３０からプランジャ４０へと向かう方向の復元力がスプール２０に絶えず印加される。
【００１９】
プランジャ４０は磁性材料から成り、バネ３０の復元力によってシャフト４１を介してスプール２０が連結されている。ソレノイド５０に電流が流れ、これによって磁束がプランジャ４０を透過すると、プランジャ４０にバネ３０を圧縮する方向へと電磁力が発生する。これによりスプール２０がバネ３０を圧縮する方向へと運動する。すなわち、プランジャ４０からバネ３０へと向かってスプール２０が運動する。
【００２０】
ソレノイド５０は固定部材にコイルが巻かれて成るものである。固定部材は筒状を成し、その内部空間にプランジャ４０が設けられている。ソレノイド５０に電流が供給されると固定部材の内部空間に磁束が発生し、その磁束がプランジャ４０を透過する。これによりプランジャ４０に電磁力が発生する。
【００２１】
電流供給部６０は電流をソレノイド５０に供給することでソレノイド５０にて磁束を発生し、プランジャ４０にて電磁力を発生してスプール２０を運動させる。こうすることで電流供給部６０はスリーブ１０内に流入されるオイルとスリーブ１０内から流出されるオイルそれぞれの量を調整し、自動変速機のクラッチを制御する。本実施形態に係る電流供給部６０は、配線基板６１と、配線基板６１に設けられた回路部６２と、を有する。配線基板６１の表面に回路部６２が搭載され、その裏面がハウジング７０に固定されている。
【００２２】
ハウジング７０はスプール２０とバネ３０の設けられたスリーブ１０、プランジャ４０、ソレノイド５０、電流供給部６０、温度センサ８０、および、コネクタ９０を収納するものである。図３および図６に示すようにハウジング７０は第１〜第３収納部７１〜７３と束ね部７４を有する。第１収納部７１は上記したスリーブ１０、プランジャ４０、ソレノイド５０、および、コネクタ９０を収納し、第２収納部７２は電流供給部６０と温度センサ８０を収納する。そして第３収納部７３は第２収納部７２の開口部を閉塞し、束ね部７４は組み合わさった第１〜第３収納部７１〜７３を一体的に束ねて固定する。なおハウジング７０にはソレノイド５０と電流供給部６０との間にオイルが流動するための流路７６が形成されている。この流路７６は収納部７１，７２によって構成されている。
【００２３】
図６に示すように第１収納部７１は筒状を成し、その一方の開口部の開口径は、スリーブ１０を第１収納部７１の内部空間へと挿入するため、スリーブ１０の他端１０ｂ側の外径よりも大きくなっている。そして第１収納部７１の内径は他方の開口部側においてスリーブ１０の一端１０ａの外径よりも狭くなり、その他方の開口部の開口径はスリーブ１０の他端１０ｂの外径よりも僅かに大きくなっている。これによりスリーブ１０の他端１０ｂを第１収納部７１の一方の開口部から挿入すると、スリーブ１０の一端１０ａの端部の側面が第１収納部７１の内面と接触し、スリーブ１０が第１収納部７１内に仮固定される。第１収納部７１にスリーブ１０が挿入された後、図６に示すようにスペーサ７５、シャフト４１、プランジャ４０、ソレノイド５０、および、コネクタ９０が第１収納部７１に順次挿入される。なお、上記したスペーサ７５は非磁性材料であり、シャフト４１およびプランジャ４０それぞれとソレノイド５０との位置を定めるためのものである。スペーサ７５は環状を成し、その内部にシャフト４１とプランジャ４０が収納され、その外部がソレノイド５０によって囲まれている。
【００２４】
第１収納部７１には上記した流路７６を構成するための孔と溝が形成されている。図１０に示すように第１収納部７１にはｚ方向に沿う３つの孔７６ａ〜７６ｃが形成され、図８に示すように第１収納部７１の底面にはｘ−ｙ平面に沿う４つの溝７６ｄ〜７６ｇが形成されている。これら４つの溝７６ｄ〜７６ｇはソレノイド５０と電流供給部６０との間に位置しており、その開口部は第２収納部７２によって閉塞されている。
【００２５】
図８および図１０に示すように、第１孔７６ａの一端は第１開口部１５ａに連通され、その他端は第１溝７６ｄに連通されている。そして第２孔７６ｂの一端は第２開口部１５ｂに連通され、その他端は第２溝７６ｅに連通されている。また第３孔７６ｃの一端は第３開口部１５ｃに連通され、その他端は第３溝７６ｆに連通されている。上記した３つの溝７６ｄ〜７６ｆはｘ方向に沿い、その一端が孔７６ａ〜７６ｃに連通され、それぞれの他端はｙ方向に沿う第４溝７６ｇに連結されている。これにより図１０に実線矢印で示すように、第１開口部１５ａから流出されたオイルは第１孔７６ａ内をｚ方向に沿って第１収納部７１の下方へと流動する。そして図８に同じく実線矢印で示すように、オイルは第１溝７６ｄに流れ込み、第１溝７６ｄをｘ方向に沿って流動する。そしてオイルは第１溝７６ｄから第４溝７６ｇに流れ込み、その両端部へと流動する。オイルは第４溝７６ｇの端部から溝７６ｅ，７６ｆへと流動し、溝７６ｅ，７６ｆをｘ方向に沿って流動した後、孔７６ｂ、７６ｃに流れ込む。図１０に示すようにオイルは孔７６ｂ，７６ｃ内をｚ方向に沿って第１収納部７１の上方へと流動し、開口部１５ｂ，１５ｃに流入する。このように流路７６はオイルが循環するように形成されている。したがって流路７６を構成する壁は流路７６内を流動するオイルと等温になっている。
【００２６】
第２収納部７２は開口部を有する箱形状を成し、板状の底部７２ａ、および、底部７２ａの縁部を囲う環状の壁部７２ｂを有する。底部７２ａの内面に電流供給部６０の配線基板６１が固定され、その裏面が第１収納部７１の底面と接触されている。これにより第１収納部７１に形成された溝７６ｄ〜７６ｇの開口部が底部７２ａの裏面によって閉塞されている。したがって溝７６ｄ〜７６ｇを流動するオイルと電流供給部６０との伝熱距離が底部７２ａの厚さ分となっている。なお図５に示すように、壁部７２ｂにはコネクタ９０の一部を設けるための切欠き部が形成されている。
【００２７】
第３収納部７３は第２収納部７２の開口部を閉塞する板形状を成している。壁部７２ｂの頂部と上記した切欠き部に設けられたコネクタ９０の下面それぞれに第３収納部７３が接触することで、第２収納部７２の開口部が閉塞される。これにより電流供給部６０がオイルから隔離されている。
【００２８】
束ね部７４は１つの開口部を有する筒形状を成している。この開口部に互いに組み合わさった収納部７１〜７３が挿入されることで収納部７１〜７３が固定される。なお図６に示すように束ね部７４にはコネクタ９０の一部を外部に露出するための穴７４ａが形成されている。
【００２９】
温度センサ８０は図５に示すように電流供給部６０とともにハウジング７０に搭載される。より詳しく言えば、温度センサ８０は配線基板６１に搭載され、ワイヤや配線基板６１の配線を介して回路部６２と電気的に接続されている。これにより温度センサ８０は第２収納部７２の底部７２ａと等温とされ、流路７６を流動するオイルの温度を検出可能となっている。また電流供給部６０とともにオイルから隔離されている。
【００３０】
上記したように電流供給部６０はソレノイド５０に電流を供給することでスプール２０を運動させる。本実施形態に係る電流供給部６０はソレノイド５０に供給する電流量を、温度センサ８０によって計測された温度に応じて、スプール２０が復元力に逆らってスリーブ１０内の所定位置に移動するように調整する。電流供給部６０の回路部６２は、電流を生成する電流回路と、この電流回路をＰＷＭ制御する制御回路を有し、制御回路は上記したオイルの抵抗と電流量の相関関係を記憶している。したがって制御回路は温度センサ８０によって検出されたオイル温度と上記した相関関係に基づいて、電流回路に入力するパルス信号のデューティ比を調整する。こうすることで電流回路から出力される電流量が調整され、ソレノイド５０に供給される電流量が調整される。
【００３１】
コネクタ９０は複数の端子９１とこれら複数の端子９１それぞれを被覆する樹脂部９２を有する。上記したソレノイド５０はこの樹脂部９２によって端子９１とともに一体的に連結されており、端子９１は４つある。図７および図８に示すように４つある端子９１の内の２つが外部装置と電流供給部６０とを電気的に接続する外部接続端子としての機能を果たし、残りの２つがソレノイド５０と電流供給部６０とを電気的に接続する内部接続端子としての機能を果たしている。なお端子９１と電流供給部６０とは図示しないワイヤを介して電気的に接続されている。
【００３２】
次に、本実施形態に係るソレノイドモジュール１００の作用効果を説明する。上記したように、ソレノイド５０と電流供給部６０との間に流路７６が形成されている。そのために電流の供給によってソレノイド５０で発生した熱が電流供給部６０へと伝熱することが抑制される。また流路７６を流動するオイルによって、ソレノイド５０と電流供給部６０それぞれを冷却することができる。以上により電流供給部６０の昇温が抑制される。
【００３３】
ソレノイド５０と温度センサ８０との間に流路７６が位置している。より詳しく言えば、温度センサ８０は電流供給部６０の配線基板６１に搭載され、流路７６を流動するオイルと配線基板６１との伝熱距離が底部７２ａの厚さ分となっている。これによれば流路７６を流動するオイルのために温度センサ８０もオイルと同一の温度となる。したがって温度センサ８０をオイルと直接接触させなくとも、オイルの温度を計測することができる。これによって温度センサ８０の寿命がオイルによって低下することが抑制される。さらに言えば、温度センサ８０と電流供給部６０とを接続する配線を短くすることができる。
【００３４】
オイルの温度が変化すると、それにともなってオイルの粘性が変化する。この結果、オイルと直接接触するスプール２０の移動し易さが変化する。したがってスプール２０が復元力に逆らって所定位置まで移動するためにプランジャ４０に発生する電磁力、すなわち、ソレノイド５０に供給する電流をオイルの温度に応じて変化することが好ましい。これに対して電流供給部６０はソレノイド５０に供給する電流量を、温度センサ８０によって計測された温度に応じて、スプール２０が復元力に逆らってスリーブ１０内の所定位置に移動するように調整する。これによりオイルの温度が変動したとしてもスプール２０を所定位置まで移動させることができる。
【００３５】
流入口１１は第１流通路１６ａと第１開口部１５ａを介して流路７６に連通されている。これによれば流路７６の流入口がスリーブ１０の流入口１１とは別に形成される構成と比べて、構成が簡素化される。
【００３６】
第１流出口１２は第２流通路１６ｂと第２開口部１５ｂを介して流路７６に連通され、第２流出口１３は第３流通路１６ｃと第３開口部１５ｃを介して流路７６に連通されている。これによれば流路７６の流出口がスリーブ１０の流出口１２，１３とは別に形成される構成と比べて、構成が簡素化される。
【００３７】
底部７２ａの裏面によってオイルの流動する溝７６ｄ〜７６ｇの開口部が閉塞され、その表面に電流供給部６０が固定されている。これにより溝７６ｄ〜７６ｇを流動するオイルと電流供給部６０との伝熱距離が底部７２ａの厚さ分となっている。そのために上記した伝熱経路が底部７２ａの厚さよりも長い構成と比べて電流供給部６０の温度変動が抑制される。
【００３８】
以上、本発明の好ましい実施形態について説明したが、本発明は上記した実施形態になんら制限されることなく、本発明の主旨を逸脱しない範囲において、種々変形して実施することが可能である。
【００３９】
本実施形態ではソレノイドモジュール１００が車両に設けられた自動変速機の油圧制御に適用された例を示した。しかしながら同一のハウジングにソレノイド５０と電流供給部６０とを搭載した結果、ソレノイド５０にて発生する熱による電流供給部６０の昇温を課題として有する民生機器であれば、適宜本発明に記載の技術を適用することができる。
【００４０】
本実施形態ではハウジング７０が第３収納部７３を有する例を示した。しかしながらハウジング７０は第３収納部７３を有する代わりに、被覆樹脂７７を有しても良い。この場合、例えば図１１に示すように第２収納部７２の壁部７２ｂによって囲まれた領域に被覆樹脂７７が充填され、電流供給部６０と温度センサ８０、および、電流供給部６０と端子９１との電気的な接続部位が被覆樹脂７７によって被覆保護される。なお、壁部７２ｂの内面が特許請求の範囲に記載の外壁面に相当する。
【００４１】
本実施形態では流路７６へと外部からオイルの流入する入口がスリーブ１０の流入口１１である例を示した。しかしながら図１２に示すように第１収納部７１に流入口７８が形成され、この流入口７８が流路７６を介して流入口１１に連通された構成を採用することもできる。この構成の場合、流入口１１ではなく、流入口７８に圧力ポンプからオイルの流入が行われる。なお図１２ではハウジング７０は第３収納部７３を有していなく、第１収納部７１に形成された孔のみによって流路７６が形成されている。そして第１収納部７１に電流供給部６０と温度センサ８０を収納する空間が形成され、その開口部が第２収納部７２によって閉塞されている。
【００４２】
本実施形態では流路７６の一部を成す溝７６ｄ〜７６ｇが第１収納部７１におけるｘ−ｙ平面に沿う底面に形成された例を示した。しかしながら図１３に示すように溝７６ｄ〜７６ｇが第１収納部７１におけるｙ−ｚ平面に沿う背面に形成され、この背面に第２収納部７２の底部７２ａが設けられる構成を採用することもできる。これによってもソレノイド５０と電流供給部６０との間に流路７６が形成されるため、電流供給部６０の昇温が抑制される。なお、図１４に示すように、図１３の構成においてハウジング７０が第３収納部７３の代わりに、被覆樹脂７７を有する構成を採用しても良い。この場合、束ね部７４は２つの開口部を有する筒形状を成す。
【００４３】
また参考として図１５に示すように、流路７６がソレノイド５０と電流供給部６０との間に位置していない構成も考えられる。この変形例では流路７６を流れるオイルによって電流供給部６０の昇温が抑制される。なお図１５ではハウジング７０は第３収納部７３を有していなく、第１収納部７１に形成された孔のみによって流路７６が形成されている。そして第１収納部７１に電流供給部６０と温度センサ８０を収納する空間が形成され、その開口部が第２収納部７２によって閉塞されている。
【００４４】
本実施形態では流路７６が２つの流出口１２，１３それぞれと連通された構成を示した。しかしながら流路７６と連通される流出口の数としては上記例に限定されず、少なくも１つあればよい。また図８および図１０に流路７６の具体例を示したが、流路７６の形状としてはこの例に限定されず、流路７６内をオイルが循環する形状であれば適宜採用することができる。さらに言えば、図８および図１０では流路７６の径が全長に渡ってほぼ一定であるように図示しているが、流路７６の径としては一定でなくともよい。
【００４５】
本実施形態ではソレノイドモジュール１００が温度センサ８０を有する例を示した。しかしながら温度センサ８０は無くともよい。
【００４６】
本実施形態ではソレノイドモジュール１００がコネクタ９０を有する例を示した。しかしながら外部装置と電流供給部６０とを電気的に接続し、電流供給部６０とソレノイド５０とを電気的に接続する他の機構を有するのであれば、コネクタ９０は無くともよい。
【００４７】
本実施形態ではハウジング７０を構成する収納部７１〜７３の形成材料について特に言及していなかった。しかしながら収納部７１〜７３の形成材料としては同一でもよく、それぞれ異なっていてもよい。
【符号の説明】
【００４８】
１０…スリーブ
２０…スプール
３０…バネ
４０…プランジャ
５０…ソレノイド
６０…電流供給部
７０…ハウジング
７６…流路
１００…ソレノイドモジュール
【図１】
2016056916.tif 000003
【図２】
2016056916.tif 000004
【図３】
2016056916.tif 000005
【図４】
2016056916.tif 000006
【図５】
2016056916.tif 000007
【図６】
2016056916.tif 000008
【図７】
2016056916.tif 000009
【図８】
2016056916.tif 000010
【図９】
2016056916.tif 000011
【図１０】
2016056916.tif 000012
【図１１】
2016056916.tif 000013
【図１２】
2016056916.tif 000014
【図１３】
2016056916.tif 000015
【図１４】
2016056916.tif 000016
【図１５】
2016056916.tif 000017